(57)【要約】【課題】ロックアップクラッチを締結する際、走行用駆動源の回転上昇を抑えるとともに締結に要する時間を短縮しながら、締結時の車両挙動変化を低減すること。【解決手段】エンジン１と無段変速機６の間に配置され、ロックアップクラッチ３を有するトルクコンバータ４を備える。ロックアップクラッチ３が解放状態のときにロックアップ締結条件が成立すると、LU指示差圧を初期差圧まで立ち上げた後、所定のランプ勾配により上昇させてロックアップクラッチ３を締結するロックアップ制御部１２ｃを設ける。ロックアップ制御部１２ｃは、初期差圧を、ロックアップクラッチ３がロックアップ容量を持ち始めるミートポイント指示差圧の学習値Ａから、ランプ勾配に応じて算出されるランプオフセットＣをマイナスした値で与える。【選択図】図４
2019158056.tif 000002
【特許請求の範囲】
【請求項１】
走行用駆動源と変速機の間に配置され、ロックアップクラッチを有するトルクコンバータを備える自動変速機のロックアップ制御装置において、
前記ロックアップクラッチが解放状態のときにロックアップ締結条件が成立すると、ロックアップ指示差圧を初期差圧まで立ち上げた後、所定のランプ勾配により上昇させて前記ロックアップクラッチを締結するロックアップ制御部を設け、
前記ロックアップ制御部は、前記初期差圧を、前記ロックアップクラッチがロックアップ容量を持ち始めるミートポイント指示差圧の学習値から、前記ランプ勾配に応じて算出されるランプオフセットをマイナスした値で与える
ことを特徴とする自動変速機のロックアップ制御装置。
【請求項２】
請求項１に記載された自動変速機のロックアップ制御装置において、
前記ロックアップ制御部は、前記ランプオフセットを、前記ランプ勾配が低いほど小さくなる値で与える
ことを特徴とする自動変速機のロックアップ制御装置。
【請求項３】
請求項２に記載された自動変速機のロックアップ制御装置において、
前記ロックアップ制御部は、初期差圧によるロックアップ指示差圧の開始時刻から実差圧の発生開始時刻までの油圧応答時間を算出し、
前記ランプオフセットを、前記ランプ勾配と前記油圧応答時間の乗算により与える
ことを特徴とする自動変速機のロックアップ制御装置。
【請求項４】
請求項１から３までの何れか一項に記載された自動変速機のロックアップ制御装置において、
前記ロックアップ制御部は、前記学習値のサンプリングバラツキ分に基づく学習値オフセットを算出し、
前記初期差圧を、前記学習値から、前記学習値オフセットと前記ランプオフセットをマイナスした値で与える
ことを特徴とする自動変速機のロックアップ制御装置。
【請求項５】
請求項１から４までの何れか一項に記載された自動変速機のロックアップ制御装置において、
前記ロックアップ制御部は、ロックアップ締結条件が成立すると、指示ランプが確定するまで、前記ロックアップ指示差圧を前記学習値に基づく仮設定初期差圧まで立ち上げ、指示ランプが確定すると、前記初期差圧を前記ランプ勾配に基づいて算出し、前記ロックアップ指示差圧を前記初期差圧と前記ランプ勾配に合わせた指示とする
ことを特徴とする自動変速機のロックアップ制御装置。
【発明の詳細な説明】
【技術分野】
【０００１】
本発明は、車両に搭載される自動変速機のロックアップ制御装置に関する。
【背景技術】
【０００２】
ロックアップ指示差圧を初期差圧からランプ差圧に切り替えるランプ開始条件を、トルクコンバータの入出力回転速度の比である速度比に基づいて決めるロックアップ制御装置が知られている（例えば、特許文献１参照）。
【先行技術文献】
【特許文献】
【０００３】
【特許文献１】国際公開２０１７／１３５２０４号公報
【発明の概要】
【発明が解決しようとする課題】
【０００４】
従来装置にあっては、ロックアップ締結開始時の初期指示圧を一律下限圧としてきた。そのため、実際にロックアップピストンのストロークが終了するまでに多くの無駄時間があり、そこでのエンジン回転数の吹け上がりや締結までに要する時間の長さが課題となっている。
【０００５】
本発明は、上記課題に着目してなされたもので、ロックアップクラッチを締結する際、走行用駆動源の回転上昇を抑えるとともに締結に要する時間を短縮しながら、締結時の車両挙動変化を低減することを目的とする。
【課題を解決するための手段】
【０００６】
上記目的を達成するため、本発明は、走行用駆動源と変速機の間に配置され、ロックアップクラッチを有するトルクコンバータを備える。
この自動変速機のロックアップ制御装置において、ロックアップクラッチが解放状態のときにロックアップ締結条件が成立すると、ロックアップ指示差圧を初期差圧まで立ち上げた後、所定のランプ勾配により上昇させてロックアップクラッチを締結するロックアップ制御部を設ける。
ロックアップ制御部は、初期差圧を、ロックアップクラッチがロックアップ容量を持ち始めるミートポイント指示差圧の学習値から、ランプ勾配に応じて算出されるランプオフセットをマイナスした値で与える。
【発明の効果】
【０００７】
このように、初期差圧を、学習値からランプオフセットをマイナスした値で与えることで、ロックアップクラッチを締結する際、走行用駆動源の回転上昇を抑えるとともに締結に要する時間を短縮しながら、締結時の車両挙動変化を低減することができる。
【図面の簡単な説明】
【０００８】
【図１】実施例１のロックアップ制御装置が適用されたエンジン車の全体システム構成を示す全体システム図である。
【図２】無段変速機の目標プライマリ回転数を決めるノーマル変速線の一例を示すノーマル変速スケジュールである。
【図３】発進スムースロックアップ領域と再加速スムースロックアップ領域の設定例を示すＤレンジLUスケジュールである。
【図４】実施例１のＣＶＴコントロールユニットのロックアップ制御部において実行されるロックアップ締結時のスムースロックアップ制御処理の流れを示すフローチャートである。
【図５】発進・再加速（LUストローク未状態）でのスムースロックアップ制御におけるLU差圧特性を示す図である。
【図６】発進・再加速（LUストローク状態）でのスムースロックアップ制御におけるLU差圧特性の一例を示す図である。
【図７】ランプオフセットの必要性について説明するためのLU指示差圧特性及びLU実差圧特性を示す対比特性図である。
【図８】スムースロックアップ制御を開始するとき初期差圧を算出しようとしてもランプ勾配が確定しない理由１（20ms処理が作動しなかった場合）を示す各ジョブでの流れを示すフローチャートである。
【図９】スムースロックアップ制御を開始するとき初期差圧を算出しようとしてもランプ勾配が確定しない理由２（20ms処理が作動した場合）を示す各ジョブでの流れを示すフローチャートである。
【図１０】ランプオフセットによる初期差圧とする場合のやりたかったことと制御実装課題に対する提案挙動を説明するためのLU指示差圧特性及びLU実差圧特性を示す対比特性図である。
【図１１】ランプオフセットによる初期差圧とする場合にランプ勾配が確定するまでの間の指示の与え方を示すLU指示差圧特性図である。
【図１２】ロックアップクラッチ解放停止状態からの発進時におけるアクセル開度APO・エンジン回転数Ne・タービン回転数Nt・車速VSP・エンジントルクTe・コンバータ伝達トルクτNe2・クラッチ伝達トルクTLU・LU指示差圧・LU実差圧の各特性を示すタイムチャートである。
【図１３】ロックアップクラッチ解放状態からの再加速時におけるアクセル開度APO・エンジン回転数Ne・タービン回転数Nt・車速VSP・エンジントルクTe・コンバータ伝達トルクτNe2・クラッチ伝達トルクTLU・LU指示差圧・LU実差圧の各特性を示すタイムチャートである。
【発明を実施するための形態】
【０００９】
以下、本発明の自動変速機のロックアップ制御装置を実施するための形態を、図面に示す実施例１に基づいて説明する。
【実施例１】
【００１０】
実施例１におけるロックアップ制御装置は、トルクコンバータ及び無段変速機（CVT）を搭載したエンジン車に適用したものである。以下、実施例１におけるエンジン車のロックアップ制御装置の構成を、「全体システム構成」、「ロックアップ制御部の構成」、「スムースロックアップ制御処理構成」に分けて説明する。
【００１１】
［全体システム構成］
図１は実施例１のロックアップ制御装置が適用されたエンジン車の全体システム構成を示し、図２は無段変速機のノーマル変速スケジュールを示し、図３はＤレンジLUスケジュールを示す。以下、図１〜図３に基づき、全体システム構成を説明する。
【００１２】
車両駆動系は、図１に示すように、エンジン１と、エンジン出力軸２と、ロックアップクラッチ３と、トルクコンバータ４と、変速機入力軸５と、無段変速機６と、ドライブシャフト７と、駆動輪８と、を備えている。
【００１３】
ロックアップクラッチ３は、トルクコンバータ４に内蔵され、クラッチ解放によりトルクコンバータ４を介してエンジン１と無段変速機６を連結し、クラッチ締結によりエンジン出力軸２と変速機入力軸５を直結する。このロックアップクラッチ３は、後述するＣＶＴコントロールユニット１２からロックアップ指示差圧（以下、「LU指示差圧」という。）が出力されると、元圧であるライン圧に基づいて調圧されたロックアップ油圧により、締結/スリップ締結/解放が制御される。なお、ライン圧は、エンジン１により回転駆動される図外のオイルポンプからの吐出油を、ライン圧ソレノイドバルブにより調圧することで作り出される。
【００１４】
トルクコンバータ４は、ポンプインペラ４１と、ポンプインペラ４１に対向配置されたタービンランナ４２と、ポンプインペラ４１とタービンランナ４２の間に配置されたステータ４３と、を有する。このトルクコンバータ４は、内部に満たされた作動油が、ポンプインペラ４１とタービンランナ４２とステータ４３の各ブレードを循環することによりトルクを伝達する流体継手である。ポンプインペラ４１は、内面がロックアップクラッチ３の締結面であるコンバータカバー４４を介してエンジン出力軸２に連結される。タービンランナ４２は、変速機入力軸５に連結される。ステータ４３は、ワンウェイクラッチ４５を介して静止部材（トランスミッションケース等）に設けられる。
【００１５】
無段変速機６は、プライマリプーリとセカンダリプーリに掛け渡されるベルトの接触径を変えることにより変速比を無段階に制御するベルト式無段変速機である。無段変速機６による変速後の出力回転は、ドライブシャフト７を介して駆動輪８へ伝達される。
【００１６】
車両制御系は、図１に示すように、エンジンコントロールユニット１１（ECU）と、ＣＶＴコントロールユニット１２（CVTCU）と、ＣＡＮ通信線１３と、を備えている。入力情報を得るセンサ類として、エンジン回転数センサ１４と、タービン回転数センサ１５（＝CVT入力回転数センサ）と、CVT出力回転数センサ１６（＝車速センサ）と、を備えている。さらに、アクセル開度センサ１７と、セカンダリ回転数センサ１８と、プライマリ回転数センサ１９と、CVT油温センサ２０と、ブレーキスイッチ２１、前後Ｇセンサ２２、等を備えている。
【００１７】
エンジンコントロールユニット１１は、例えば、ＣＶＴコントロールユニット１２からＣＡＮ通信線１３を介してエンジントルク情報を要求する信号を受け取ると、エンジントルク情報をＣＶＴコントロールユニット１２へ送出する。エンジントルク情報は、エンジンコントロールユニット１１において、エンジン回転数Neやアクセル開度APOやエンジン全性能特性等を用いて推定演算される。
【００１８】
ＣＶＴコントロールユニット１２は、変速制御部１２ａ、ミートポイント学習制御部１２ｂ、ロックアップ制御部１２ｃ、等を有する。
【００１９】
変速制御部１２ａは、無段変速機６のプライマリ回転数Npriを、ノーマル変速線により演算した目標プライマリ回転数Npri*に一致させるフィードバック制御により、変速比を無段階に変更制御するノーマル変速制御を行う。
【００２０】
ここで、「ノーマル変速線」とは、図２のノーマル変速スケジュールに示すように、車速VSPとアクセル開度APOによる運転点（VSP,APO）に基づき目標プライマリ回転数Npri*を決めるアクセル開度毎の変速線である。このノーマル変速線のうち、アクセル足離しコースト状態（アクセル開度APO＝0/8）のときの変速線をコースト変速線という。
【００２１】
例えば、停車からの発進時には、図２の矢印Ｅに示すように、アクセル踏み込み操作により運転点（VSP,APO）が最Low変速比線に沿って移動し、踏み込み後のアクセル開度APOに到達すると、車速VSPを上昇させるアップシフトが行われる。
【００２２】
例えば、ドライブ走行からのコースト減速時には、図２の矢印Ｆに示すように、アクセル足放し操作により運転点（VSP,APO）がコースト変速線まで低下し、その後、コースト変速線に沿って運転点（VSP,APO）が移動し、車速VSPを低下させるダウンシフトが行われる。このコースト減速中にアクセル踏み込み操作により再加速を意図すると、図２の矢印Ｆに示すように、運転点（VSP,APO）がアクセル開度APOを高める方向に移動し、車速VSPを上昇させるアップシフトが行われる。
【００２３】
この変速制御部１２ａでは、ノーマル変速制御以外に、疑似有段アップシフト制御（D-Step制御）を行う。この疑似有段アップシフト制御では、加速要求が高いアクセル踏み込み操作時、図２の矢印Ｇに示すように、あたかも有段変速機でのアップシフトのような変速感を得るように、プライマリ回転数Npriを変動させる。この疑似有段アップシフト制御では、ロックアップクラッチ３が解放状態であれば応答良く締結し、ダイレクトな有段変速感（シャキシャキ感）を得るようにしている。
【００２４】
ミートポイント学習制御部１２ｂは、スムースロックアップ制御時にロックアップクラッチ３がロックアップ容量を持ち始めるミートポイントのLU指示差圧である学習値を取得する。つまり、ミートポイント学習条件が成立するスムースロックアップ制御を経験すると、ロックアップ容量を持ち始めるミートポイントでのLU指示差圧を学習値として記憶する。そして、学習経験を重ねる毎に記憶されている学習値を学習補正量だけ加算や減算をして更新する。よって、学習経験を多く重ねると、ロックアップ容量を持ち始める真値に近い学習値（LU指示差圧）が取得されることになる。
【００２５】
ロックアップ制御部１２ｃは、ロックアップクラッチ３の締結/スリップ締結/解放を制御する。ロックアップクラッチ３のロックアップ制御としては、発進時に実行される「発進スムースロックアップ制御」と、再加速時に実行される「再加速スムースロックアップ制御」と、を有する。「発進スムースロックアップ制御」は、図３のＤレンジLUスケジュールに示すように、停止からの発進時、運転点（VSP,APO）が発進SMON線を横切って低車速域に設定された発進SMON領域に入ると開始される。「再加速スムースロックアップ制御」は、図３のＤレンジLUスケジュールに示すように、走行中の再加速時、運転点（VSP,APO）がLUON線を横切って発進SMON領域よりも高車速域に設定されたLUON領域に入ると開始される。
【００２６】
実施例１での学習値Ａと学習値オフセットＢとランプオフセットＣを反映した初期差圧は、「発進スムースロックアップ制御」と「再加速スムースロックアップ制御」に対して実施される。なお、「スムースロックアップ制御」とは、解放状態のロックアップクラッチ３を、ランプ制御での滑らかなクラッチ容量の増加（差圧昇圧）により締結状態へ移行する制御をいい、LU遷移状態としてのドライブスリップオープンも含む。
【００２７】
「発進スムースロックアップ制御」は、
・アクセル開度が一定で車速が上昇する発進時（図３の矢印H1）
・アクセル踏み増し操作により車速が上昇する発進時（図３の矢印H2）
・アクセル踏み戻し操作による発進時（図３の矢印H3）
・コースト状態からのアクセル踏み込み操作によるクリープ発進時（図３の矢印H4）
等の発進シーンにおいて、学習値と学習値オフセットとランプオフセットを反映した初期差圧が実施される。
【００２８】
「再加速スムースロックアップ制御」は、
・アクセル開度が低開度域の一定開度で車速が上昇する再加速時（図３の矢印I1）
・アクセル踏み増し操作により車速が上昇する再加速時（図３の矢印I2）
・アクセル踏み戻し操作で車速が上昇する再加速時（図３の矢印I3）
・アクセル開度が高開度域の一定開度で車速が上昇する再加速時（図３の矢印I4）
・コースト走行状態からのアクセル踏み込み操作による再加速時（図３の矢印I5）
等の再加速シーンにおいて、学習値と学習値オフセットとランプオフセットを反映した初期差圧が実施される。
【００２９】
［スムースロックアップ制御処理構成］
図４は、実施例１のＣＶＴコントロールユニット１２のロックアップ制御部１２ｃにおいて実行されるロックアップ締結時のスムースロックアップ制御処理の流れを示す。以下、図４の各ステップについて説明する。なお、「LU」という記述は「ロックアップ」の略称である。
【００３０】
ステップＳ１では、ロックアップクラッチ３が解放状態であるか否かを判断する。YES（LUクラッチ解放）の場合はステップＳ２へ進み、NO（LUクラッチ締結）の場合はエンドへ進む。
【００３１】
ここで、例えば、エンジン回転数Neとタービン回転数Ntに差回転数が生じている場合は、ロックアップクラッチ３が解放状態であると判断する。エンジン回転数Neとタービン回転数Ntが一致している場合は、ロックアップクラッチ３が締結状態であると判断する。なお、ロックアップクラッチ３への差圧指示の大きさにより、ロックアップクラッチ３が解放状態であるか否かを判断しても良い。
【００３２】
ステップＳ２では、ステップＳ１でのLUクラッチ解放であるとの判断に続き、LUストローク未状態であるか否かを判断する。YES（LUストローク未状態）の場合はステップＳ３へ進み、NO（LUストローク状態）の場合はステップＳ１０へ進む。
【００３３】
ここで、「LUストローク」とは、ロックアップクラッチ３の締結方向へのクラッチピストンストロークをいう。「LUストローク未状態」とは、クラッチピストンが完全解放の初期ピストン位置にある状態をいう。「LUストローク状態」とは、クラッチピストンが完全解放の初期ピストン位置から締結側へストロークした位置にある状態をいう。
【００３４】
ステップＳ３では、ステップＳ２でのLUストローク未状態であるとの判断、或いは、ステップＳ３での運転点（VSP,APO）が発進時のLU領域に無いとの判断に続き、そのときの運転点（VSP,APO）が発進時や再加速時のLU領域に存在するか否かを判断する。YES（LU領域内）の場合はステップＳ４へ進み、NO（LU領域外）の場合はステップＳ３の判断を繰り返す。
【００３５】
ここで、発進時、運転点（VSP,APO）が発進SMON線を横切って発進SMON領域に入るとLU領域内と判断される。再加速時、運転点（VSP,APO）がLUON線を横切ってLUON領域に入るとLU領域内と判断される。
【００３６】
ステップＳ４では、ステップＳ３でのLU領域内であるとの判断、或いは、ステップＳ５での指示ランプ不確定であるとの判断に続き、仮設定初期差圧（＝学習値Ａ−学習値オフセットＢ）を指示し、ステップＳ５へ進む。
【００３７】
ここで、「仮設定初期差圧」は、指示ランプが確定して本来の初期差圧が算出されるまでの間、暫定的に設定される初期差圧である。「学習値Ａ」は、ミートポイント学習制御部１２ｂからそのときに記憶されている最新の学習値を読み込むことで取得される。「学習値オフセットＢ」は、仮設定初期差圧の指示によりショックが出ないように、学習値Ａのサンプリングバラツキ分をマイナス側にオフセットさせる値である。学習値オフセットＢの値は、学習値Ａのバラツキ影響を排除する値として、入力回転バラツキ分とライン圧バラツキ分と油温バラツキ分等が見積もられ、これらのサンプリングバラツキ分に基づいて設定される。
【００３８】
「学習値オフセットＢ」の必要性は、ミートポイントの学習値Ａが下側にばらついた場合、狙いよりもクラッチミートが遅くなり、エンジン回転数Neが吹け上げ方向となる。一方、ミートポイントの学習値Ａが上側にばらついた場合、狙いよりもクラッチミートが早くなり、クラッチストローク速度も速くなるため、急締結方向となり、エンジン回転数変化ΔNeの急変やショックの懸念がある。よって、学習値Ａのバラツキ分を見積もり、学習値Ａから学習値オフセットＢを差し引いて仮設定初期差圧とすることで、仮設定初期差圧の指示によるエンジン回転数Neが吹け上げの懸念やショックの懸念を解決する。
【００３９】
ステップＳ５では、ステップＳ４での仮設定初期差圧の指示に続き、スムースロックアップ制御での指示ランプが確定したか否かを判断する。YES（指示ランプ確定）の場合はステップＳ６へ進み、NO（指示ランプ不確定）の場合はステップＳ４へ戻る。
【００４０】
ここで、「指示ランプ確定」とは、車両状態（例えば、レンジ位置、モード位置、発進、発進以外、等）を判定し、車両状態に応じたランプ勾配を選択することをいう。また、指示ランプが確定したか否かを判断する理由は、初期差圧を算出するとき、スムースロックアップ制御でのランプ勾配情報が必要である。しかし、スムースロックアップ制御の開始条件が成立したときに指示ランプが確定していないことによる。
【００４１】
ステップＳ６では、ステップＳ５での指示ランプ確定であるとの判断に続き、初期差圧によるLU指示差圧の開始時刻からLU実差圧の発生開始時刻（ゼロ差圧）までの油圧応答時間（＝油圧応答遅れ時間）を算出し、ステップＳ７へ進む。
【００４２】
ここで、「油圧応答時間」は、LU指示差圧に対してLU実差圧が発生するまでの無駄時間と、シミュレーションによるLU実差圧特性の遅れ時定数と、を用いて算出する。
【００４３】
ステップＳ７では、ステップＳ６での油圧応答時間の算出に続き、指示ランプのランプ勾配に応じたランプオフセットＣを算出し、ステップＳ８へ進む。
【００４４】
ここで、「ランプオフセットＣ」は、ランプ勾配に応じて初期差圧をマイナス側、つまり、初期差圧を小さくする側にオフセットさせる値であり、
ランプオフセットＣ[Mpa]＝ランプ勾配[Mpa/sec]×油圧応答時間[sec]
の式を用いて算出される。なお、図７に示すように、ランプ勾配＝tanθであり、油圧応答時間＝待機時間ΔT3である。つまり、油圧応答時間を一定時間と仮定すると、ランプ勾配が低いほどランプオフセットＣの値は小さな値とされ、オフセット後の初期差圧は大きな値となる。
【００４５】
「ランプオフセットＣ」を算出する理由は、LU指示差圧が学習真値に到達するクラッチミートタイミングと、LU実差圧がゼロ差圧に到達するクラッチ容量出力開始タイミングとを出来る限り同じタイミングにするためである。即ち、スムースロックアップ制御において、クラッチミートタイミングに対しクラッチ容量出力開始タイミングが遅れるとエンジン回転数Neが吹け上げる。一方、クラッチミートタイミングよりクラッチ容量出力開始タイミングが早いと急締結ショックになる。よって、ランプオフセットＣを適切に設定し、学習値ＡからランプオフセットＣを差し引いたものを初期差圧とすることで、エンジン回転数Neが吹け上げや急締結ショックを解決する。
【００４６】
ステップＳ８では、ステップＳ７でのランプオフセットＣの算出に続き、初期差圧（＝学習値Ａ−学習値オフセットＢ−ランプオフセットＣ）を算出し、ステップＳ９へ進む。
【００４７】
ここで、「初期差圧」は、学習値Ａと学習値オフセットＢとランプオフセットＣを反映した本来の「初期差圧」である。なお、初期差圧は、初期差圧としての下限圧を下回ることがないように、
初期差圧＝MAX[(学習値Ａ−学習値オフセットＢ−ランプオフセットＣ)，下限圧]
により求める。
【００４８】
ステップＳ９では、ステップＳ８での初期差圧の算出に続き、初期差圧とランプ特性に合わせたLU指示圧特性を描くように、仮設定初期差圧によるLU指示差圧を所定幅だけ低下し、ステップＳ１２へ進む。
【００４９】
ここで、LU指示差圧の低下幅は、スムースロックアップ制御開始時に初期差圧としたと仮定したときランプ特性に合わせるようにLU指示差圧の値を低下させる幅とする。
【００５０】
ステップＳ１０では、ステップＳ２でのLUストローク状態であるとの判断、或いは、ステップＳ１１での運転点（VSP,APO）が発進時のLU領域に無いとの判断に続き、そのときの運転点（VSP,APO）が発進時や再加速時のLU領域に存在するか否かを判断する。YES（LU領域内）の場合はステップＳ１１へ進み、NO（LU領域外）の場合はステップＳ１０の判断を繰り返す。なお、LU領域内であるかLU領域外であるかの判断は、ステップＳ３と同様とする。
【００５１】
ステップＳ１１では、ステップＳ１０でのLU領域内であるとの判断に続き、初期差圧として下限圧を指示し、ステップＳ１２へ進む。なお、「下限圧」は、固定値で与えても良いし、既存の初期圧演算結果を用いても良い。
【００５２】
ステップＳ１２では、ステップＳ９でのLU指示差圧の低下、或いは、ステップＳ１１での下限圧の指示、或いは、ステップＳ１３でのクラッチスリップ量＞所定値であるとの判断に続き、ランプ制御にて差圧昇圧を開始し、ステップＳ１３へ進む。
【００５３】
ここで、「ランプ制御にて差圧昇圧を開始する」とは、LU指示差圧を選択された勾配角度で上昇させるランプ勾配を持つ差圧指示へと切り替えることをいう。よって、ステップＳ９からステップＳ１２に進んだ場合は、図５に示すように、制御開始から指示ランプが確定するまで初期差圧を仮設定初期差圧とし、指示ランプが確定すると初期差圧を初期差圧とするLU差圧特性を示す。ステップＳ１１からステップＳ１２に進んだ場合は、図６に示すように、初期差圧を下限圧とするLU差圧特性を示す。
【００５４】
ステップＳ１３では、ステップＳ１２でのランプ制御による差圧昇圧に続き、ロックアップクラッチ３のクラッチスリップ量が、所定値以下になったか否かを判断する。YES（クラッチスリップ量≦所定値）の場合はステップＳ１４へ進み、NO（クラッチスリップ量＞所定値）の場合はステップＳ１２へ戻る。
【００５５】
ここで、「クラッチスリップ量」は、（エンジン回転数Ne−タービン回転数Nt）の式を用いて算出する。「所定値」は、スリップ回転数が無くなってクラッチ締結状態になったとみなす判定閾値（例えば、10rpm程度の値）に設定される。
【００５６】
ステップＳ１４では、ステップＳ１３でのクラッチスリップ量≦所定値であるとの判断に続き、LU容量を最大にする制御によりロックアップクラッチ３を締結し、エンドへ進む。
【００５７】
ここで、「LU容量を最大にする制御」では、ロックアップクラッチ３を完全締結状態にするため、LU指示差圧を、ステップ的に最大値まで上昇させるフィードフォワード制御（FF制御）を行う。
【００５８】
次に、実施例１での作用を、「背景技術とスムースロックアップ制御作用」、「ランプオフセットの必要性と制御実装課題」、「発進時におけるスムースロックアップ制御作用」、「再加速時におけるスムースロックアップ制御作用」に分けて説明する。
【００５９】
［背景技術とスムースロックアップ制御作用］
従来、スムースロックアップ開始時に指示する初期差圧は、ショックを起こさないよう一律に下限圧（油圧バラツキ幅からヒステリシス分を引いた値：例えば、-63[kPa]程度）としてきた。
【００６０】
そのため、実際にロックアップピストンがストロークを終了するまでに多くの無駄時間があり、そこでのエンジン回転の吹け上がりや締結完了までの時間の長さが指摘されている。さらに、近年は、変速制御に疑似有段変速制御（D-Step制御）が追加され、運転性の向上から1山目までに締結することを求められている（図２の矢印Ｇで示す特性を参照）。
【００６１】
よって、従来の初期差圧を下限圧とするときの課題は、下記の通りである。
(a) 疑似有段変速制御での１山目までにLU締結できない。
このため、疑似有段変速制御の狙いであるシャキシャキ感が喪失する。
(b) 停止からの発進時にエンジン回転が吹け上がる。
即ち、ロックアップピストンのストローク終了まで時間がかかることで、その間にエンジンの回転が吹け上がってしまう。
(c) 再加速でLU締結までに要する時間が長い。
即ち、コースト走行でのロックアップ解放状態からのアクセル踏み込み時、LU締結指示開始から実LU締結までに時間がかかってしまう。
【００６２】
本発明等は、上記(a)〜(c)の課題に着目し、解放状態のロックアップクラッチ３を締結する際、初期差圧を、学習値Ａと学習値オフセットＢとランプオフセットＣを反映するLU指示差圧値により与える構成を採用した。
【００６３】
即ち、LUクラッチ解放、かつ、LUストローク未状態で、運転点（VSP,APO）がLU領域に入ると、図４のフローチャートにおいて、Ｓ１→Ｓ２→Ｓ３→Ｓ４→Ｓ５へと進み、指示ランプが不確定の間は、Ｓ４→Ｓ５へと進む流れが繰り返される。よって、発進時や再加速時にスムースロックアップ制御の開始条件が成立すると、仮設定初期差圧（＝学習値Ａ−学習値オフセットＢ）によるLU指示差圧が出力される。
【００６４】
指示ランプが確定すると、Ｓ５からＳ６→Ｓ７→Ｓ８→Ｓ９→Ｓ１２→Ｓ１３へと進み、クラッチスリップ量＞所定値の間は、Ｓ１２→Ｓ１３へと進む流れが繰り返される。よって、Ｓ６にて油圧応答時間が算出され、Ｓ７にてランプオフセットＣ（＝ランプ勾配×油圧応答時間）が算出される。Ｓ８では、Ｓ７でのランプオフセットＣの算出を受けて、初期差圧（＝学習値Ａ−学習値オフセットＢ−ランプオフセットＣ）が算出される。そして、Ｓ９では、初期差圧とランプ特性に合わせてLU指示差圧が低下され、Ｓ１２では、初期差圧を初期差圧とする特性によりランプ制御が開始される。
【００６５】
なお、LUクラッチ解放、かつ、LUストローク状態で、運転点（VSP,APO）がLU領域に入ると、図４のフローチャートにおいて、Ｓ１→Ｓ２→Ｓ１０→Ｓ１１→Ｓ１２→Ｓ１３へと進み、クラッチスリップ量＞所定値の間は、Ｓ１２→Ｓ１３へと進む流れが繰り返される。よって、Ｓ１２では下限圧を初期差圧とする特性によりランプ制御が開始される。
【００６６】
その後、クラッチスリップ量≦所定値になると、Ｓ１３からＳ１４→エンドへと進み、LU容量を最大にする制御によりロックアップクラッチ３が締結される。
【００６７】
このように、発進時や再加速時にロックアップクラッチ３をLUストローク未状態から締結する際、学習値Ａから学習値オフセットＢとランプオフセットＣをマイナスした値を初期差圧とするスムースロックアップ制御を実行する。このため、スムースロックアップ制御では、エンジン１の回転上昇を抑えるとともに締結に要する時間を短縮しながら、締結時の車両挙動変化を低減することができる。
【００６８】
［ランプオフセットの必要性と制御実装課題］
まず、図７に基づいてランプオフセットＣの必要性について説明する。
図７の左側に記載した特性は指示差圧の初期差圧を下限圧とする従来特性である。この従来特性の場合、時刻t1にて指示差圧を下限圧まで立ち上げ、その後、指示差圧を所定のランプ勾配によるランプ特性により上昇させている。よって、学習真値と初期差圧（＝下限圧）の乖離幅が大きく、時刻t4になるまで待たないと、実際にロックアップピストンがクラッチ容量を発生する位置までストロークせず、多くの待機時間ΔT1がある。このため、エンジン回転数Neが吹け上がるし、ロックアップクラッチの締結開始から締結完了までの所要時間が長くなってしまう、という問題がある。
【００６９】
図７の中央部に記載した特性は指示差圧の初期差圧を学習値とする特性（学習値反映案１）である。この学習値反映案１特性の場合、時刻t1にて指示差圧を学習値まで立ち上げ、その後、指示差圧を所定のランプ勾配によるランプ特性により上昇させている。よって、学習真値と初期差圧（＝学習値）の乖離幅が無い、或いは、殆ど無く、時刻t1直後の時刻t2になると実際にロックアップピストンがクラッチ容量を発生する位置までストロークし、クラッチ容量を発生する時刻t2までの待機時間ΔT2が短縮される。しかし、時刻t2が実圧応答過渡中になるため実圧ランプが立ち過ぎる。このため、急締結ショックやエンジン回転数変化ΔNeの急変による車両挙動の変化を招く。
【００７０】
図７の右側に記載した特性は指示差圧の初期差圧を学習真値からランプオフセットＣの分だけ下げた値とする特性（学習値反映案２：提案）である。この学習値反映案２特性の場合、時刻t1にてLU指示差圧を（学習真値−ランプオフセットＣ）まで立ち上げ、その後、LU指示差圧を所定のランプ勾配によるランプ特性により上昇させている。よって、学習真値と初期差圧の乖離幅（ランプオフセットＣ）が適切な幅になり、指示ランプが学習真値に到達するタイミングと、実圧応答過渡終了による実圧の発生開始タイミングとがほぼ一致する（時刻t3）。このため、クラッチ容量を発生する時刻t3までの待機時間ΔT3（＜ΔT1）が従来に比べて短縮される。さらに、実圧ランプが、学習値反映案１特性に比べて立ち過ぎることなく、従来特性と同様の緩やかな上昇勾配による特性となり、急締結ショックやエンジン回転数変化ΔNeの急変が抑制される。
【００７１】
このように、待機時間の削減と実圧ランプの急勾配抑制をうまく両立させるためには、ランプオフセットＣが必要であることが明らかである。なお、学習値Ａが学習真値、或いは、学習真値に近い値である場合には、学習値オフセットＢを用いなくても、学習値ＡとランプオフセットＣにより、狙いの初期差圧を得ることが可能である。
【００７２】
次に、図８〜図１１に基づいて制御実装課題について説明する。
まず、今回の提案では、初期差圧の算出（締結制御入り）時にスムースロックアップ制御でのランプ勾配情報が必要である。しかし、初期差圧の算出（締結制御入り）時においては、ランプ勾配が確定しておらず、狙いの初期差圧が計算できない。以下、ランプ勾配が確定するまでの対応について提案する。
【００７３】
締結制御入りジョブで、20ms処理が作動しなかった場合、図８に示すように、LU制御状態が締結制御に遷移したジョブで締結初期圧（＝初期差圧）を算出する。しかし、スムースロックアップランプ勾配（以下、「SMONランプ」という。）は、締結制御入りの１ジョブ目までは未確定であり、２ジョブ目でSMONランプが確定する。
【００７４】
締結制御入りジョブで、20ms処理が作動した場合、図９に示すように、LU制御状態が締結制御に遷移したジョブでSMONランプが算出されている。しかし、制御状態が切り替わる前のランプ値のため、狙いのランプではない場合があり、締結制御入りの１ジョブ目までは未確定である。よって、SMONランプは、３ジョブ目で確定される。
【００７５】
以上のように、ランプ勾配が確定しない理由は、LU制御処理フロー、処理周期違い、処理順序を原因とするものである。
【００７６】
制御実装課題への対応を、図１０及び図１１に基づいて説明する。
まず、「やりたかったこと」は、図１０の左側特性に示すように、初期差圧（＝学習値Ａ−学習値オフセットＢ−ランプオフセットＣ）を制御入りの時刻で指示し、続いてランプ特性によりLU指示差圧を上昇させることである。しかし、上記のように、制御実装課題のために制御入りの時刻で初期差圧を指示することはできない。
【００７７】
そこで、図１０の右側特性（制御実装課題に対する提案挙動）に示すように、ランプ勾配が確定するまでは、学習値にバラツキがあってもクラッチミートしない指示圧固定（仮設定初期差圧）とする。そして、ランプ勾配が確定すれば、適切な初期差圧（＝学習値Ａ−学習値オフセットＢ−ランプオフセットＣ）を計算し、狙いのランプ軌道に合うよう油圧指示する。
【００７８】
例えば、３ジョブ目でランプ勾配が確定する場合には、図１１に示すように、１ジョブ目で仮設定初期差圧を指示し、２ジョブ目及び３ジョブ目まで仮設定初期差圧の指示を維持する。３ジョブ目になると、ランプ勾配の確定に基づいて初期差圧が算出されるため、初期差圧を通るランプ特性に合うように、LU指示差圧を低下させ、続いて、ランプ特性によるランプ制御を行う。
【００７９】
このとき、締結制御開始直後の指示差圧−実差圧（Apl-Rel圧）の差が大きいため、実差圧の追従が多少早くなることが予想されるが、下記の理由１，２によりその跳ね返りは解消される。
理由１：仮設定初期差圧を指示する時間が、30msec程度の短い時間であるためオーバーシュートすることは考えにくい。なお、実差圧に追従するまで200msec程度を見込んでいる。
理由２：仮設定初期差圧は、学習値のバラツキが最悪の場合でも、LUクラッチトルク0Nm以下になる指示差圧のため、急締結やエンジン回転数Neの引き込みはない。
【００８０】
［発進時におけるスムースロックアップ制御の対比作用］
図１２は、ロックアップクラッチ解放停止状態からの発進時における各特性を示すタイムチャートである。以下、図１２に基づいて発進時におけるスムースロックアップ制御の対比作用を説明する。
【００８１】
時刻t1において発進を意図してアクセルペダル踏み込み操作を行うと、時刻t1からエンジントルクTeが上昇し、エンジン回転数Neがロックアップ制御開始時刻t2に向かって上昇する。この時刻t1以降の発進開始域でのタービン回転数Ntは、車速VSPの上昇に従って上昇する特性を示す。
【００８２】
時刻t2において運転点（VSP,APO）が「発進スムースロックアップ制御」での発進SMON線を横切ると、従来例の場合、LU指示差圧を下限圧による初期差圧まで立ち上げに続いてランプ差圧により昇圧させる発進スムースロックアップ制御が開始される。時刻t2からはLU指示差圧に対して油圧応答遅れを持つ実差圧（LU指示差圧の破線特性）が徐々に上昇し、時刻t4にてLU容量を持ち始める油圧になる。よって、LU容量を持たない時刻t2〜時刻t4の間は、ロックアップクラッチの締結負荷が無く、エンジン回転数Neが時刻t3よりも高い回転数域まで吹け上がる。
【００８３】
時刻t4にてLU容量を持ち始める油圧になると、クラッチ伝達トルクTLUの上昇にしたがってコンバータ伝達トルクτNe2が低下するというように、時間の経過にしたがってエンジントルクTeの分担比のうち、クラッチ伝達トルクTLUの分担比が増加する。よって、エンジン回転数Neが時刻t6に向かって落ち込む。なお、エンジントルクTeは、コンバータ伝達トルクτNe2分とクラッチ伝達トルクTLU分とイナーシャトルクIe・dωe分とによって分担される。
【００８４】
時刻t6にてエンジン回転数Neとタービン回転数Ntの回転数差（＝クラッチスリップ量）がほぼ一致するまで収束し、エンジントルクTeをクラッチ伝達トルクTLUにより分担する状況になると、ロックアップクラッチが締結される。
【００８５】
このように、従来例では、初期差圧が低い下限圧に設定されるため、LU容量を持つまで時間が時刻t2〜時刻t4というように長い時間になるし、締結時間が時刻t2〜時刻t6というように長い時間になる。そして、時刻t2にてロックアップ制御が開始されても時刻t2からLU容量を持ち始める時刻t4までの間、エンジン回転数Neの上昇を許す。この結果、図１２の矢印Ｊで囲まれるエンジン回転数特性に示すように、エンジン回転数Neの吹け上がりが生じる。
【００８６】
これに対し、実施例１の場合、時刻t2において運転点（VSP,APO）がLU領域に入ると、LU指示差圧を初期差圧（学習値Ａ−学習値オフセットＢ−ランプオフセットＣ）まで立ち上げ、ランプ差圧により昇圧させる発進スムースロックアップ制御が開始される。時刻t2からはLU指示差圧に対して油圧応答遅れを持つ実差圧（LU指示差圧の破線特性）が徐々に上昇し、時刻t3にてLU容量を持ち始める油圧になる。よって、LU容量を持たない時刻t2〜時刻t3の間は、ロックアップクラッチ３の締結負荷が無く、エンジン回転数Neが上昇する。
【００８７】
時刻t3にてLU容量を持ち始める油圧になると、クラッチ伝達トルクTLUの上昇にしたがってコンバータ伝達トルクτNe2が低下するというように、時間の経過にしたがってエンジントルクTeの分担比のうち、クラッチ伝達トルクTLUの分担比が増加する。よって、エンジン回転数Neが時刻t5に向かって落ち込む。
【００８８】
時刻t5にてエンジン回転数Neとタービン回転数Ntの回転数差（＝クラッチスリップ量）がほぼ一致するまで収束し、エンジントルクTeをクラッチ伝達トルクTLUにより分担する状況になると、ロックアップクラッチ３が締結される。
【００８９】
このように、実施例１では、初期差圧が下限圧より高い差圧に設定されるため、LU容量を持つまで時間が時刻t2〜時刻t3というように、従来例に比べて時間短縮される（短縮時間t3〜t4）。そして、締結時間も時刻t2〜時刻t5というように、従来例に比べて時間短縮される（短縮時間t5〜t6）。さらに、LU容量を持つまで時間短縮により、エンジン回転数Neの吹け上がりも抑えられる。
【００９０】
［再加速時におけるスムースロックアップ制御の対比作用］
図１３は、ロックアップクラッチ解放状態からの再加速時における各特性を示すタイムチャートである。以下、図１３に基づいて再加速時におけるスムースロックアップ制御の対比作用を説明する。
【００９１】
時刻t1において減速中に再加速を意図してアクセルペダル踏み込み操作を行うと、時刻t1からエンジントルクTeが上昇し、エンジン回転数Neがロックアップ制御開始時刻t2に向かって上昇する。この時刻t1以降の再加速開始域でのタービン回転数Ntは、車速VSPの上昇に従って上昇する特性を示す。
【００９２】
時刻t2において運転点（VSP,APO）が「再加速スムースロックアップ制御」でのLU ON線を横切ると、従来例の場合、LU指示差圧を下限圧による初期差圧まで立ち上げに続いてランプ差圧により昇圧させる再加速スムースロックアップ制御が開始される。時刻t2からはLU指示差圧に対して油圧応答遅れを持つ実差圧（LU指示差圧の破線特性）が徐々に上昇し、時刻t4にてLU容量を持ち始める油圧になる。よって、LU容量を持たない時刻t2〜時刻t4の間は、ロックアップクラッチの締結負荷が無く、エンジン回転数Neが時刻t3よりも高い回転数域まで吹け上がる。
【００９３】
時刻t4にてLU容量を持ち始める油圧になると、クラッチ伝達トルクTLUの上昇にしたがってコンバータ伝達トルクτNe2が低下するというように、時間の経過にしたがってエンジントルクTeの分担比のうち、クラッチ伝達トルクTLUの分担比が増加する。よって、エンジン回転数Neが時刻t6に向かって落ち込む。
【００９４】
時刻t6にてエンジン回転数Neとタービン回転数Ntの回転数差（＝クラッチスリップ量）がほぼ一致するまで収束し、エンジントルクTeをクラッチ伝達トルクTLUにより分担する状況になると、ロックアップクラッチが締結される。
【００９５】
このように、従来例では、初期差圧が低い下限圧に設定されるため、LU容量を持つまで時間が時刻t2〜時刻t4というように長い時間になるし、締結時間が時刻t2〜時刻t6というように長い時間になる。そして、時刻t2にてロックアップ制御が開始されても時刻t2からLU容量を持ち始める時刻t4までの間、エンジン回転数Neの上昇を許す。この結果、図１３の矢印Ｋで囲まれるエンジン回転数特性に示すように、エンジン回転数Neの吹け上がりが生じる。
【００９６】
これに対し、実施例１の場合、時刻t2において運転点（VSP,APO）がLU領域に入ると、LU指示差圧を初期差圧（学習値Ａ−学習値オフセットＢ−ランプオフセットＣ）まで立ち上げ、ランプ差圧により昇圧させる再加速スムースロックアップ制御が開始される。時刻t2からはLU指示差圧に対して油圧応答遅れを持つ実差圧（LU指示差圧の破線特性）が徐々に上昇し、時刻t3にてLU容量を持ち始める油圧になる。よって、LU容量を持たない時刻t2〜時刻t3の間は、ロックアップクラッチ３の締結負荷が無く、エンジン回転数Neが上昇する。
【００９７】
時刻t3にてLU容量を持ち始める油圧になると、クラッチ伝達トルクTLUの上昇にしたがってコンバータ伝達トルクτNe2が低下するというように、時間の経過にしたがってエンジントルクTeの分担比のうち、クラッチ伝達トルクTLUの分担比が増加する。よって、エンジン回転数Neが時刻t5に向かって落ち込む。
【００９８】
時刻t5にてエンジン回転数Neとタービン回転数Ntの回転数差（＝クラッチスリップ量）がほぼ一致するまで収束し、エンジントルクTeをクラッチ伝達トルクTLUにより分担する状況になると、ロックアップクラッチ３が締結される。
【００９９】
このように、実施例１では、初期差圧が下限圧より高い差圧に設定されるため、LU容量を持つまで時間が時刻t2〜時刻t3というように、従来例に比べて時間短縮される（短縮時間t3〜t4）。そして、締結時間も時刻t2〜時刻t5というように、従来例に比べて時間短縮される（短縮時間t5〜t6）。さらに、LU容量を持つまで時間短縮により、エンジン回転数Neの吹け上がりも抑えられる。
【０１００】
以上説明したように、実施例１の無段変速機６のロックアップ制御装置にあっては、下記に列挙する効果が得られる。
【０１０１】
(1) 駆動源（エンジン１）と変速機（無段変速機６）の間に配置され、ロックアップクラッチ３を有するトルクコンバータ４を備える。
ロックアップクラッチ３が解放状態のときにロックアップ締結条件が成立すると、ロックアップ指示差圧（LU指示差圧）を初期差圧まで立ち上げた後、所定のランプ勾配により上昇させてロックアップクラッチ３を締結するロックアップ制御部１２ｃを設ける。
ロックアップ制御部１２ｃは、初期差圧を、ロックアップクラッチ３がロックアップ容量を持ち始めるミートポイント指示差圧の学習値Ａから、ランプ勾配に応じて算出されるランプオフセットＣをマイナスした値で与える。
このように、初期差圧を、学習値ＡからランプオフセットＣをマイナスした値で与える。このため、ロックアップクラッチ３を締結する際、走行用駆動源（エンジン１）の回転上昇を抑えるとともに締結に要する時間を短縮しながら、締結時の車両挙動変化を低減することができる。なお、締結時の車両挙動変化は、ロックアップクラッチ３がロックアップ容量を持ち始める領域にて実差圧の上昇を抑えることにより低減される。
【０１０２】
(2) ロックアップ制御部１２ｃは、ランプオフセットＣを、ランプ勾配が低いほど小さくなる値で与える。
このように、ランプ勾配が低いほど初期差圧が高い値で与えられることで、ランプ勾配が低くクラッチ締結容量の上昇が抑えられる車両状態のとき、締結開始から実差圧による容量を持つまでに要する時間を短縮することができる。
【０１０３】
(3) ロックアップ制御部１２ｃは、初期差圧によるロックアップ指示差圧（LU指示差圧）の開始時刻から実差圧の発生開始時刻までの油圧応答時間を算出する。
ランプオフセットＣを、ランプ勾配と油圧応答時間の乗算により与える。
このように、ランプオフセットＣを、ランプ勾配と油圧応答時間の乗算により与えることで、ランプ勾配の高低や油圧応答時間の長短にかかわらず、最適なランプオフセットＣを取得することができる。ここで、最適なランプオフセットＣとは、ロックアップ指示差圧（LU指示差圧）が学習真値に到達するタイミングと、実差圧が発生開始するタイミングと、がほぼ符合する値をいう。
【０１０４】
(4) ロックアップ制御部１２ｃは、学習値のサンプリングバラツキ分に基づく学習値オフセットＢを算出する。
初期差圧を、学習値Ａから、学習値オフセットＢとランプオフセットＣをマイナスした値で与える。
このように、初期差圧＝（学習値Ａ−学習値オフセットＢ−ランプオフセットＣ）で与えることで、学習値のサンプリングバラツキ分による影響を排除した初期差圧を与えることができる。特に、クラッチミートポイントの学習経験が少ないとき、締結ショックを抑える初期差圧を与えることができる。
【０１０５】
(5) ロックアップ制御部１２ｃは、ロックアップ締結条件が成立すると、指示ランプが確定するまで、ロックアップ指示差圧（LU指示差圧）を学習値に基づく仮設定初期差圧（＝学習値Ａ−学習値オフセットＢ）まで立ち上げる。指示ランプが確定すると、初期差圧をランプ勾配に基づいて算出し、ロックアップ指示差圧（LU指示差圧）を初期差圧とランプ勾配に合わせた指示とする。
このように、指示ランプが確定するまで仮設定初期差圧を与えることで、初期差圧の算出にランプ勾配情報を必要情報とするスムースロックアップ制御を既定の制御システムに実装することができる。
【０１０６】
以上、本発明の自動変速機のロックアップ制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【０１０７】
実施例１では、ロックアップ制御部１２ｃとして、初期差圧を、初期差圧＝（学習値Ａ−学習値オフセットＢ−ランプオフセットＣ）により与える例を示した。しかし、ロックアップ制御部としては、初期差圧を、初期差圧＝（学習値−ランプオフセット）により与える例としても良い。また、学習値オフセットを無視できる車両状況であるか否かを判断する。そして、無視できない車両状況であると初期差圧を、初期差圧＝（学習値−学習値オフセット−ランプオフセット）により与え、無視できる車両状況であると初期差圧を、初期差圧＝（学習値−ランプオフセット）により与える例としても良い。
【０１０８】
実施例１では、ロックアップ制御部１２ｃとして、ランプオフセットＣを、ランプ勾配と油圧応答時間の乗算により与える例を示した。しかし、ロックアップ制御部としては、油圧応答時間を含む値を定数により与え、ランプオフセットを、ランプ勾配の高低のみにより与える例としても良い。
【０１０９】
実施例１では、本発明のロックアップ制御装置を、トルクコンバータと無段変速機を搭載したエンジン車に適用する例を示した。しかし、本発明のロックアップクラッチ制御装置は、駆動源にエンジンとモータが搭載されたハイブリッド車に対しても適用することができるし、駆動源にモータが搭載された電気自動車に対しても適用することができる。また、変速機として、副変速機付き無段変速機や有段の自動変速機を搭載した車両にも適用できる。要するに、ロックアップクラッチを有するトルクコンバータを、駆動源と変速機の間に備えた車両であれば適用できる。
【符号の説明】
【０１１０】
１  エンジン（走行用駆動源）
３  ロックアップクラッチ
４  トルクコンバータ
６  無段変速機（変速機）
１１  エンジンコントロールユニット
１２  ＣＶＴコントロールユニット
１２ａ  変速制御部
１２ｂ  ミートポイント学習制御部
１２ｃ  ロックアップ制御部
１３  ＣＡＮ通信線
１４  エンジン回転数センサ
１５  タービン回転数センサ
１６  CVT出力回転数センサ（＝車速センサ）
１７  アクセル開度センサ
【図１】
2019158056.tif 000003
【図２】
2019158056.tif 000004
【図３】
2019158056.tif 000005
【図４】
2019158056.tif 000006
【図５】
2019158056.tif 000007
【図６】
2019158056.tif 000008
【図７】
2019158056.tif 000009
【図８】
2019158056.tif 000010
【図９】
2019158056.tif 000011
【図１０】
2019158056.tif 000012
【図１１】
2019158056.tif 000013
【図１２】
2019158056.tif 000014
【図１３】
2019158056.tif 000015